(57)【要約】【課題】無線ＬＡＮのアクセスポイントの検索を漏れなく行うことができる無線ＬＡＮ端末及び無線ＬＡＮ接続方法を提供する。【解決手段】無線ＬＡＮ端末１０のＣＰＵ１１は、無線ＬＡＮのアクセスポイントとの切断動作時に、当該アクセスポイントの位置情報（３Ｇのセル情報）とアクセスポント情報を対にしてアクセスポイントリストを更新し、無線ＬＡＮのアクセスポイントとの接続動作時に、更新済みのアクセスポイントリストを基に無線ＬＡＮのアクセスポイントの検索を行う。これにより、当該アクセスポイントが無線ＬＡＮ以外の無線通信における圏外にあるものであっても次回の無線ＬＡＮのアクセスポイントの検索時に漏れることがなくなる。【選択図】図１
2011018980.tif 000002
【特許請求の範囲】
【請求項１】
無線ＬＡＮの通信を行う第１の無線通信部と、
無線ＬＡＮ以外の通信を行う第２の無線通信部と、
無線ＬＡＮのアクセスポイントの位置情報とアクセスポイント情報とが対になったデータベースを有する記憶部と、
無線ＬＡＮのアクセスポイントとの切断動作時に当該無線ＬＡＮのアクセスポイントの位置情報とアクセスポント情報を対にして前記データベースを更新する制御部と、
を備える無線ＬＡＮ端末。
【請求項２】
前記制御部は、無線ＬＡＮのアクセスポイントとの接続動作時に、前記更新されたデータベースを基に無線ＬＡＮのアクセスポイントの検索を行う請求項１に記載の無線ＬＡＮ端末。
【請求項３】
無線ＬＡＮの通信を行う第１の無線通信部と、無線ＬＡＮ以外の通信を行う第２の無線通信部と、無線ＬＡＮのアクセスポイントの位置情報とアクセスポイント情報とが対になったデータベースを有する記憶部と、を備える無線ＬＡＮ端末における無線ＬＡＮ接続方法であって、
無線ＬＡＮのアクセスポイントとの切断動作時において、前記第２の無線通信部を利用して現在地の位置情報を確認するステップと、
確認した前記現在地の位置情報と前記無線ＬＡＮのアクセスポイントのアクセスポイント情報とを対にして前記データベースを更新するステップと、
を備える無線ＬＡＮ接続方法。
【請求項４】
前記記憶部のデータベースを基に無線ＬＡＮのアクセスポイントのリストを確認するステップと、
前記アクセスポイントのリストを基に無線ＬＡＮのアクセスポイントを検索するステップと、
検索された無線ＬＡＮのアクセスポイントと接続するステップと、
を備える請求項３に記載の無線ＬＡＮ接続方法。
【発明の詳細な説明】
【技術分野】
【０００１】
本発明は、無線ＬＡＮ以外の通信も可能な無線ＬＡＮ端末及び無線ＬＡＮ接続方法に関する。
【背景技術】
【０００２】
無線ＬＡＮ以外の通信も可能な無線ＬＡＮ端末のアクセスポイントへの接続方法として、例えば特許文献１で開示された無線ＬＡＮ接続方法が知られている。この特許文献１で開示された無線ＬＡＮ接続方法は、表示部と、記憶部と、無線ＬＡＮによる通信を行う第１の無線通信部と、無線ＬＡＮ以外で通信を行う第２の無線通信部と、を備える通信端末における無線ＬＡＮ接続方法であって、予め前記第２の通信部によって取得しデータベース化したアクセスポイント情報を前記記憶部に保持するステップと、前記第１の無線通信部による無線ＬＡＮアクセスポイントへの接続操作に応じて、自端末の現在位置情報を取得するステップと、前記現在位置情報に基づいて前記データベースから無線ＬＡＮアクセスポントを抽出し、前記表示部に表示するステップと、を有する。
【０００３】
なお、無線ＬＡＮ以外の通信とは例えば携帯電話機による通信である。近年、携帯電話機には無線ＬＡＮ通信機能を搭載し、無線ＬＡＮ圏内で無線ＬＡＮ通信を行えるものがある。因みに、無線ＬＡＮでは２．４ＧＨｚ帯の無線周波数が使用される。本明細書では、無線ＬＡＮ通信以外の無線通信を第３世代携帯電話による通信とし、また第３世代携帯電話による通信が可能な場所を３Ｇ圏内と呼ぶこととする。
【先行技術文献】
【特許文献】
【０００４】
【特許文献１】特開２００８−１１８５３８号公報
【発明の概要】
【発明が解決しようとする課題】
【０００５】
特許文献１で開示された無線ＬＡＮ接続方法では、無線ＬＡＮ以外の無線通信でアクセスポイントの位置情報とアクセスポイント情報を取得してデータベース化した後、該データベースを利用して無線ＬＡＮのアクセスポイントを検索するようにしているが、このようにすることで次のような問題が生ずる。
【０００６】
すなわち、無線ＬＡＮ以外の無線通信が３Ｇ圏外でも無線ＬＡＮは無線ＬＡＮ圏内である場合があり、この場合、無線ＬＡＮのアクセスポイントの検索で漏れが発生する。つまり、無線ＬＡＮの通信の際のアクセスポイント検索時に上記データベースを利用するが、このとき現在地が無線ＬＡＮ圏内であっても３Ｇ圏外であれば、現在地の無線ＬＡＮ圏内にあるアクセスポイントのアクセスポイント情報と位置情報を取得することができない。したがって、アクセスポイント検索時に当該アクセスポイントが検索されないことになる。
【０００７】
本発明は、係る事情に鑑みてなされたものであり、無線ＬＡＮのアクセスポイントの検索を漏れなく行うことができる無線ＬＡＮ端末及び無線ＬＡＮ接続方法を提供することを目的とする。
【課題を解決するための手段】
【０００８】
本発明の無線ＬＡＮ端末は、無線ＬＡＮの通信を行う第１の無線通信部と、無線ＬＡＮ以外の通信を行う第２の無線通信部と、無線ＬＡＮのアクセスポイントの位置情報とアクセスポイント情報とが対になったデータベースを有する記憶部と、無線ＬＡＮのアクセスポイントとの切断動作時に当該無線ＬＡＮのアクセスポイントの位置情報とアクセスポント情報を対にして前記データベースを更新する制御部と、を備える。
【０００９】
上記構成によれば、無線ＬＡＮのアクセスポイントとの切断動作時に、当該アクセスポイントの位置情報とアクセスポント情報を対にしてデータベースを更新するので、当該アクセスポイントが無線ＬＡＮ以外の無線通信における圏外にあるものであっても次回の無線ＬＡＮのアクセスポイントの検索時に漏れることがなくなる。
【００１０】
また、上記構成において、前記制御部は、無線ＬＡＮのアクセスポイントとの接続動作時に、前記更新されたデータベースを基に無線ＬＡＮのアクセスポイントの検索を行う。
【００１１】
上記構成によれば、無線ＬＡＮ以外の無線通信における圏外のアクセスポイントがあっても、一度でもそのアクセスポイントと無線ＬＡＮによる通信を行っていれば、以後、アクセスポイント検索時に当該アクセスポイントを漏らすことがなくなる。
【００１２】
本発明の無線ＬＡＮ接続方法は、無線ＬＡＮの通信を行う第１の無線通信部と、無線ＬＡＮ以外の通信を行う第２の無線通信部と、無線ＬＡＮのアクセスポイントの位置情報とアクセスポイント情報とが対になったデータベースを有する記憶部と、を備える無線ＬＡＮ端末における無線ＬＡＮ接続方法であって、無線ＬＡＮのアクセスポイントとの切断動作時において、前記第２の無線通信部を利用して現在地の位置情報を確認するステップと、確認した前記現在地の位置情報と前記無線ＬＡＮのアクセスポイントのアクセスポイント情報とを対にして前記データベースを更新するステップと、を備える。
【００１３】
上記方法によれば、無線ＬＡＮのアクセスポイントとの切断動作時に、当該アクセスポイントの位置情報とアクセスポント情報を対にしてデータベースを更新するので、当該アクセスポイントが無線ＬＡＮ以外の無線通信における圏外にあるものであっても次回の無線ＬＡＮのアクセスポイントの検索時に漏れることがなくなる。
【００１４】
また、上記方法において、前記記憶部のデータベースを基に無線ＬＡＮのアクセスポイントのリストを確認するステップと、前記アクセスポイントのリストを基に無線ＬＡＮのアクセスポイントを検索するステップと、検索された無線ＬＡＮのアクセスポイントと接続するステップと、を備える。
【００１５】
上記方法によれば、無線ＬＡＮ以外の無線通信における圏外のアクセスポイントがあっても、一度でもそのアクセスポイントと無線ＬＡＮによる通信を行っていれば、以後、アクセスポイント検索時に当該アクセスポイントを漏らすことがなくなる。
【発明の効果】
【００１６】
本発明は、無線ＬＡＮのアクセスポイントとの切断動作時に、当該アクセスポイントの位置情報とアクセスポント情報を対にしてデータベースを更新するので、当該アクセスポイントが無線ＬＡＮ以外の無線通信における圏外にあるものであっても次回の無線ＬＡＮのアクセスポイントの検索時に漏れることがない。すなわち、無線ＬＡＮのアクセスポイントの検索を漏れなく行うことができる。
【図面の簡単な説明】
【００１７】
【図１】本発明の一実施の形態に係る無線ＬＡＮ端末の概略構成を示すブロック図
【図２】図１の無線ＬＡＮ端末の記憶部に構築される無線ＬＡＮのアクセスポイントのリストの一例を示す図
【図３】図１の無線ＬＡＮ端末をアクセスポイントに接続する際の動作を説明するためのフローチャート
【図４】図１の無線ＬＡＮ端末をアクセスポイントから切断する際の動作を説明するためのフローチャート
【発明を実施するための形態】
【００１８】
以下、本発明を実施するための好適な実施の形態について、図面を参照して詳細に説明する。
【００１９】
図１は、本発明の一実施の形態に係る無線ＬＡＮ端末の概略構成を示すブロック図である。同図において、本実施の形態の無線ＬＡＮ端末１０は、ＣＰＵ（中央処理装置、制御部に対応）１１と、記憶部１２と、無線通信部（第２の無線通信部に対応）１３と、操作部１４と、表示部１５と、無線ＬＡＮ通信部（第１の無線通信部に対応）１６とを備える。なお、無線通信部１３は、第３世代携帯電話網に対応した無線通信を可能とするものである。また、第３世代携帯電話による通信が可能な場所を３Ｇ圏内と呼ぶこととする。
【００２０】
ＣＰＵ１１は、内蔵する制御プログラムに従って無線ＬＡＮ端末１０の各部を制御する。例えば、記憶部１２にアクセスポイントの位置情報とアクセスポイント情報を対にしたデータベースを構築する。また、操作部１４を介して入力されたユーザ操作情報を取り込み、このユーザ操作情報に従って無線通信部１３や無線ＬＡＮ通信部１６等を制御し、また表示部１５に各種表示を表示する。
【００２１】
記憶部１２は、フラッシュメモリ等の不揮発性メモリを含み、アクセスポイントの位置情報とアクセスポイント情報とを組み合わせたデータベース（以下、“アクセスポイントリスト”と表記する）２０を記憶する。本実施の形態では、アクセスポイントの位置情報として３Ｇのセル情報を用いている。アクセスポイントリスト２０は、無線ＬＡＮのアクセスポイントとの切断動作時にＣＰＵ１１によって更新される。すなわち、ＣＰＵ１１は、現在通信を行っているアクセスポイントとの切断動作時に、当該アクセスポイントの位置情報とアクセスポント情報を対にしてアクセスポイントリスト２０を更新する。アクセスポイントリスト２０を更新することによって、当該アクセスポイントが無線ＬＡＮ以外の無線通信における圏外にあるものであっても次回の無線ＬＡＮのアクセスポイントの検索時に漏れることがなくなる。
【００２２】
図２にアクセスポイントリスト２０の一例を示す。この図において、アクセスポイントリスト２０には３Ｇのセルと、その３Ｇのセルにおいて接続可能なアクセスポイントが組になっている。例えば、セル１において接続可能なアクセスポイントはＡＰ１及びＡＰ２となっている。３Ｇのセル１に無線ＬＡＮ端末１０が存在している場合にはＡＰ１とＡＰ２に対して無線ＬＡＮ通信部１６を介してスキャンを実施し、接続可能なアクセスポイントに対して接続を行う。
【００２３】
無線通信部１３は、上述したように第３世代携帯電話網に対応した無線通信を行う。なお、携帯電話網の世代は第３に限定されるものではなく、第１世代や第２世代であっても構わない。操作部１４は、ユーザからの入力に対応するユーザ操作情報を出力する。表示部１５は、ユーザに対する表示を行う。無線ＬＡＮ通信部１６は、２．４ＧＨｚ帯の無線周波数を使用して無線ＬＡＮのアクセスポイントと通信を行う。なお、無線ＬＡＮ通信部１６は２．４ＧＨｚ帯の周波数に限定されるものでなく、５．２ＧＨｚ帯であっても構わない。
【００２４】
次に、本実施の形態の無線ＬＡＮ端末１０の動作を説明する。図３は、アクセスポイントとの接続処理を示すフローチャートである。この図において、無線ＬＡＮ端末１０は、アクセスポイントと接続する際に、先ず記憶部１２に記憶されているアクセスポイントリスト２０を参照する（ステップＳ３０１）。次いで、無線ＬＡＮ端末１０が存在している３Ｇセルに記載されている全てのアクセスポイントに対してスキャンを実行する（ステップＳ３０２）。そして、スキャンの実行結果から接続可能なアクセスポイントに対して接続を行う（ステップＳ３０３）。
【００２５】
図４は、アクセスポイントとの切断処理を示すフローチャートである。この図において、無線ＬＡＮ端末１０は、アクセスポイントと切断する際に、アクセスポイントリスト２０の更新を実施する。アクセスポイントとの切断を終了後（ステップＳ４０１）、無線ＬＡＮ端末１０が切断する際に、その位置における３Ｇのセルを確認する（現在地の位置情報の確認、ステップＳ４０２）。その後、アクセスポイントリスト２０の位置情報に該当する３Ｇのセルにおいて追加のアクセスポイントが存在する場合には、アクセスポイントリスト２０を更新する（ステップＳ４０３）。
【００２６】
このように本実施の形態の無線ＬＡＮ端末１０によれば、ＣＰＵ１１は、無線ＬＡＮのアクセスポイントとの切断動作時に、当該アクセスポイントの位置情報（３Ｇのセル情報）とアクセスポント情報を対にしてアクセスポイントリスト２０を更新し、無線ＬＡＮのアクセスポイントとの接続動作時に、更新済みのアクセスポイントリスト２０を基に無線ＬＡＮのアクセスポイントの検索を行うので、当該アクセスポイントが無線ＬＡＮ以外の無線通信における圏外にあるものであっても次回の無線ＬＡＮのアクセスポイントの検索時に漏れることがなくなる。
【００２７】
なお、本発明は上記実施の形態に限定されず、本発明の目的の範囲を逸脱しない限りにおいて適宜変更して実施することが可能である。
【産業上の利用可能性】
【００２８】
本発明は、無線ＬＡＮのアクセスポイントの検索を漏れなく行うことができるといった効果を有し、無線ＬＡＮ機能が搭載された携帯電話機やＰＤＡ（Personal Digital Assistant）などへの適用が可能である。
【符号の説明】
【００２９】
１０  無線ＬＡＮ端末
１１  ＣＰＵ
１２  記憶部
１３  無線通信部
１４  操作部
１５  表示部
１６  無線ＬＡＮ通信部
２０  アクセスポイントリスト（データベース）
【図１】
2011018980.tif 000003
【図２】
2011018980.tif 000004
【図３】
2011018980.tif 000005
【図４】
2011018980.tif 000006